Podtech/llm-jp-corpus-v4-ja_patent huggingface dataset:
(57)【要約】      （修正有）【課題】技工士さん誰れでも正確に製作出来る樹脂溶解手動式電気炉を提供する。【解決手段】外部ステンパイプ、断熱材２，ニクロム線及び絶縁管子３、耐熱石膏管子固定材４、ステンパイプ固定リング、５、６、握手及び内部配線７、電氣ソケット８、握手固定ボルト９、および炉固定バンド１０等から形成している。手軽に移動出来、時間溶解を確認、操作する事で規定圧力・規定圧縮が確実に出来ることから製作義歯は、高精度になる。【選択図】図２
2013192930.tif 000002
【特許請求の範囲】
【発明の詳細な説明】
アクリル樹脂が歯科の義歯材料に適用されて７０年に成ると思う。アクリル樹脂は床を薄くすると割れる。厚くすると違和感がある。調整すると適合が悪く成ることから近年熱可塑性樹脂が材料に適用されている。アクリル樹脂と比較すると、床を薄く加工しても割れない、口腔内に適合が良い、違和感が少ない、義歯製作実験結果。非常に良いと思うが、製作機器と特殊技工の技術が必要であることから一般的に技工が普及されていない、残念の思いから技工士さん誰れでも正確に製作出来る機器を関発しその機器と兼用の（本出願樹脂溶解手動式電氣炉）考案した。義歯製作方法、考案の規定圧力・規定圧縮・実験結果・データ・資料図及び参考写真図別紙添付。
本機器は参考資料図で示す如く、手軽に移動出来、時間溶解を確認、操作する事で規定圧力・規定圧縮が確実に出来ることから製作義歯は、精度が同じになる不可態を可態に。
【図面の簡単な説明】
【図１】  平面図  樹脂溶解手動式電氣炉。炉内に材料入れたシリンダーをセツトして、タイマー通電する。時間計算で、樹脂溶解。
【図２】  断面図  樹脂溶解手動式電氣炉内部構造の図  図１外部ステンパイプ  図２断熱材  図３ニクロム線及び絶縁管子  図４耐熱石膏管子固定材図５と６ステンパイプ固定リング  図７握手及び内部配線  図８電氣ソケット  図９握手固定ボルト  図１０炉固定バンド等から形成している。
【図１】
2013192930.tif 000003
【図２】
2013192930.tif 000004
【手続補正書】
【提出日】平成24年6月20日(2012.6.20)
【手続補正２】
【補正対象書類名】特許請求の範囲
【補正対象項目名】全文
【補正方法】追加
【補正の内容】
【特許請求の範囲】
【請求項１】
第一図  平面図  樹脂溶解手動式電気炉。
図面に示す如く全体図、炉重量約１Ｋ５００ｇ手軽に移動操作が出来る。高温でも取り付取り外ずし出来る握手。通電は、タイマー計算で溶解確認直視、そのまま規定圧力・規定圧縮注入操作出来る。注入後、シリンダの処理方法連続注入法可能のにする方法別紙説明。
第二図  断面図  長期間使用に耐える内部構造図  ニクロム線３００Ｗ・６００Ｗ各二種。
(57)【要約】      （修正有）【課題】人間加齢と共に誰でも頻尿と云う生理現象が現われるが、その頻尿に伴なう不快な諸状況の解消又は緩和を目的とするものである。【解決手段】本体ケース１の一端にはウエットティシュ容器３の設置スペースを設ける、他の一端は蓋２付きで尿の入ったポリ袋を一時保管する複数の仕切られた小部屋５を設ける。夜間尿意により起き上り蓋を開けポリ袋を取り出し用を済ました後尿の入ったポリ袋をポケット状小部屋に入れウエットティシュで手を拭き衛生的にこの簡易トイレの使用が出来る。【選択図】図３
2013192929.tif 000002
【特許請求の範囲】
【請求項１】
本体ケースの一端にウエットティシュ容器を設置するスペースを設ける。
【請求項２】
もう一端の蓋付きスペースには排尿を受けたポリ袋を一時保管するポケット状の仕切り小部屋を複数設ける。
【発明の詳細な説明】
【技術分野】
【０００１】  本発明は、高齢化が進む中で夜間の頻尿に悩む老人が増加して居り、特に冬期の場合トイレ迄の往復で体を冷やし安眠を損うケースも多発して居る様である。
そこで本発明を寝室に備えて置けばその場で排尿の用を済ましすぐに睡眠に入る事が可能である。
【背景技術】
【０００２】  世の中、今後高齢者人口の増加スピードが速くなり且つ総人口の中の高齢者数の占める割合が増加の上昇カーブを描く現在高齢者の頻尿は社会問題であり製薬会社は排尿回数を減らす薬を売り出したり、部屋で排泄出来る便器（男女兼用）が売り出される等々高齢者の排泄に関したニーズの商品が溢れている。
【発明の概要】
【発明が解決しようとする課題】
【０００３】  高齢者の排尿で一番の問題点は夜間の頻尿で特に冬期などはトイレの往復、排尿タイム等で体が冷えて安眠を妨げられている。又部屋に置いておける排泄便器（男女兼用）も有るが来訪者などが有った場合の見た目の抵抗感が有る。
本発明は、以上の諸問題点を解消し快適な日常生活の向上を目差すものである。
【課題を解決するための手段】
【０００４】  一端にウエットティシュ容器を入れるスペースを設ける他の一端の蓋付きスペースに尿の入ったポリ袋を一時保管するポケット状の仕切り小部屋を複数設ける。
本発明は以上の構成により高齢者の頻尿に付随する諸問題の解消と緩和を計る。
【発明の効果】
【０００５】  本発明を生活に取り入れる事により高齢者の特性頻尿により発生する生活上の不快な諸症状の解消と軽減を実現し快適な日常生活の向上を実現するものである。
【図面の簡単な説明】
【０００６】
【図１】本発明の正面図
【図２】本発明の右側面図
【図３】本発明の蓋を開けた状態の平面図
【図４】本発明の蓋を開けた状態の左側面図
【図５】本発明の平面図
【図６】本発明の底面図
【発明を実施するための形態】
【０００７】  以下、本発明の実施の形態を説明する。
（イ）本発明は寝室等に設置して置き事前にポケット状小部屋（５）の中にポリ袋を１枚づつ入れて置く。
（ロ）夜間尿意を発したら蓋（２）を開け確実にポリ袋を１枚取り出せる。
本発明は以上の構成より成る。
本発明を使用する場合は夜間尿意により起き上り蓋（２）を開けポリ袋を取り出し用を済ました後尿の入ったポリ袋をポケット状小部屋（５）に入れウエットティシュで手を拭き衛生的にこの簡易トイレの使用が出来る。
【符号の説明】
【０００８】  （１）本体ケース、（２）蓋、（３）ウエットティシュ容器、（４）ウエットティシュ取出口、（５）尿入りポリ袋を保管するポケット状の小部屋、（６）取手、
【図１】
2013192929.tif 000003
【図２】
2013192929.tif 000004
【図３】
2013192929.tif 000005
【図４】
2013192929.tif 000006
【図５】
2013192929.tif 000007
【図６】
2013192929.tif 000008
(57)【要約】      （修正有）【課題】リハビリ中の被介助者に穿かせるズボンを提供する。【解決手段】ズボン１の上端付近の左右と背面に掌を通す貫通した開口を設ける。ズボン開口部３を設けることにより、ズボンを穿かせた被介助者を、介助する人は、開口部をしっかり掴んでズボンを介して支えることができる。【選択図】図１
2013192921.tif 000002
【特許請求の範囲】
【請求項１】
胸下まで伸びたズボンの上端付近の左右と背面に、掌を通す貫通した開口部が設けられている、これを穿く被介助者を、介助する人は、ズボンを介して支えたりコントロールすることができる。
【発明の詳細な説明】
【技術分野】
【０００１】本発明は、ズボンの上端２が胸下まで伸びている、そのズボンの上端２付近の左右と背面に掌を通す貫通した開口部３を設けてなる、介助用ズボンに関する、
【背景技術】
【０００２】従来、被介助者５をベッド７から車いす８などに移すときは、介助する人６が抱き上げて移すが、人体の柔軟性のため困難で不安定さがあった、
また、被介助者５の歩行訓練の時、介助する人６が寄り添って同行するが、突然の転倒の時には、対応が間に合わないことがあった、【０００３】以下、図１１で従来の抱き上げを説明すると、図において介助する人６は、被介助者５の両脇の下に腕を通して抱き上げる、
【発明の概要】
【発明が解決しようとする課題】
【０００４】以上述べた、従来の抱き上げ方では、人体の柔軟性のため、被介助者５をコントロールすることには、困難さが伴った、【０００５】本発明は、このような従来の構成が有していた問題を解決しようとするものであらかじめ被介助者５に、この開口部を設けたズボン１を  穿かせておけばよい、
【課題を解決するための手段】
【０００６】そして本発明は、上記目的を達成するために、開口部を設けたズボン１は、ズボンの上端２付近の左右と背面の３か所に、掌を通す貫通した開口部３が設けられている、【０００７】これを穿かせた被介助者５を移送するときは、介助する人６は、ズボンの上端２より親指９を下方に差し込み残り４本の指１０を開口部３の外側より内側に入れて、掌を握ると相撲でいうところの、まわしをしっかり掴んだ形になり力がはいるのでズボンを介して被介助者５をコントロールすることができる、
また、被介助者５の歩行訓練においては、介助する人６は、寄り添って背面にある開口部３を掴み、被介助者５の転倒などに備えることができる、【０００８】上記第１の解決手段による作用は、介助する人６は開口部３をしっかり掴むことで、ズボンを介して被介助者５を、確保することができる、【０００９】また第２の解決手段は、この開口部を設けたズボン１が、上端２付近の左右と背面に、掌が通る穴を貫通させただけで、そこにフックや取っ手などを取り付けるわけではないのでズボンの表面などに凹凸ができることもなく、これを着用した人においては、ベッドなどに寝ていても何ら違和感もない、
【発明の効果】
【００１０】上述したように、本発明の開口部を設けたズボン１は、被介助者５が常時着用していればよい
【図面の簡単な説明】
【００１１】
【図１】本発明の実施態様を示した側面図
【図２】ズボンの斜視図
【図３】ズボンの背面図
【図４】上端が胸下まで伸びたズボンの斜視図
【図５】親指をズボンの上端より差し込み残り４本の指を開口部の外側より内側に入れた状態を示した斜視図
【図６】そのうえで掌を握りしめた斜視図
【図７】対面して膝を合わせ開口部を掴んだ側面図
【図８】引き付けて、被介助者を立たせた状態を示した側面図
【図９】振り向いて、被介助者を車いすに座らせた側面図
【図１０】背面の開口部を掴み、歩行訓練する斜視図
【図１１】従来の抱き上げを示した斜視図
【発明を実施するための形態】
【００１２】以下、本発明の実施形態を図１〜図１１に基ずいて説明する
【００１３】図において１は、ズボンの上端付近の左右に貫通した開口部が設けられている
【００１４】２図も同様である
【００１５】３図では背面にも開口部が設けられている
【００１６】４図ではズボンの上端が胸下まで伸びている
【００１７】５図において介助する人は、親指をズボンの上端より差し込み、残り４本の指を開口部の外側から内側に入れる
【００１８】６図では、開口部に入れた掌を握りズボンを介して、被介助者を確保する
【００１９】７図で膝を合わせる
【００２０】８図は掴んだ開口部を引き付けると簡単に被介助者を立たせることができる
【００２１】９図で、振り向いて被介助者を車いすに座らせることができる
【００２２】１０図では、歩行訓練の時は、介助する人が背面の開口部を掴み転倒を予防する
【００２３】１１図のように従来の抱き上げは、不安定であった
【００２４】以下、上記構成の動作を説明する、ズボンの上端付近の左右と背面の３か所に貫通した開口部は、ズボンの上端より１０ｃｍ〜２０ｃｍ下方に縦３ｃｍ〜５ｃｍで、横１０ｃｍ〜２０ｃｍの横長の開口部が設けられている、
【００２５】そして介助する人は、開口部をしっかり掴んでズボンごと被介助者を支えることができる、
【符号の説明】
【００２６】１      開口部を設けたズボン
２      ズボンの上端部
３      開口部
４      ゴムひも部
５      被介助者
６      介助する人
７      ベッド
８      車いす
９      親指
１０    残り４本の指
１１    ズボンの背面
【図１】
2013192921.tif 000003
【図２】
2013192921.tif 000004
【図３】
2013192921.tif 000005
【図４】
2013192921.tif 000006
【図５】
2013192921.tif 000007
【図６】
2013192921.tif 000008
【図７】
2013192921.tif 000009
【図８】
2013192921.tif 000010
【図９】
2013192921.tif 000011
【図１０】
2013192921.tif 000012
【図１１】
2013192921.tif 000013
(57)【要約】【課題】  学校歯科検診などにおいて、ワンタッチで装着し、素早く両側の顎関節音を同時に聴診するために、受音具を左右一対にして対合するようにバネ式把持器に取り付けた検診用顎関節聴診器を提供する。【解決手段】  聴診器の受音具を左右一対にして対合するようにバネ式挟把持器に取り付ける。受音具の取り付け部は、角度が自動的に調整されて顔面部にフィットする役目と受音を伝達する役目をする弾性チューブ構造になっている。弾性チューブはＬ字型硬質中空管に接続され、Ｌ字型硬質中空管は聴診音伝達部のチューブに接続されている。受音伝達の役目をしているＬ字型硬質中空管と聴診音伝達部のチューブの一部はバネ式把持器の硬質中空パイプの中を貫通している。また検診者に装着する耳管部にもバネ式把持器を取り付けて、どちらも片手でワンタッチで装着し、できるだけ短時間で両側の顎関節音を同時に聴診できるようにしている。【選択図】図１
2013192919.tif 000002
【特許請求の範囲】
【請求項１】
聴診器の聴診音検出部である受音具を左右一対にしてバネ式把持器に対合するように取り付け、ワンタッチで装着し、素早く両側の顎関節音を左右同時に聴診できる顎関節聴診器。
【請求項２】
受音具の取り付け部は、角度が自動調整して顔面部にフィットする役目と受音を伝達する役目をする弾性チューブ構造になっている。
【請求項３】
弾性チューブはＬ字型硬質中空管に接続され、Ｌ字型硬質中空管は聴診音伝達部のチューブに接続されている。受音伝達の役目をしているＬ字型硬質中空管と聴診音伝達部のチューブの一部はバネ式把持器の硬質中空パイプの中を貫通している。
【請求項４】
検診者に装着する耳管部にもバネ式把持器を取り付けて、片手でワンタッチで装着できるようになっている。
【発明の詳細な説明】
【技術分野】
【０００１】  この発明は、聴診器の受音具を増設し、左右一対にして対合するようにバネ式把持器に取り付け、ワンタッチで顔面両側の左右顎関節部に添わせるように装着し、口を開閉させた時の顎関節の音を左右同時に聴診できるようにしたものである。
【背景技術】
【０００２】  既存の聴診器は、人体の体内音を聞く受音具が一つであったため、左右一対の顎関節のような離れた場所の体内音を同時に聞くことはできなかった。また左右別々に聴診するため時間がかかった。学校歯科検診において一人づつ順番に歯の検診をした後ごとに検診者が聴診器を装着するにも少しの時間を要した。
【先行技術文献】
【０００３】
【特許文献】
【非特許文献】
【発明の概要】
【発明が解決しようとする課題】
【０００４】  平成７年より学校歯科検診において、顎関節の検診が導入された。しかし一日に検診者一人あたり約２５０人程対象に検診するため、被検者一人にかけられる時間的制約もあり、歯の検診後に顎関節を詳しく検診するのは難しかった。本発明は、時間的制約の中で、できるだけ短時間で装着し、より詳しく顎関節の検診を行えるように考案されたものである。
【課題を解決するための手段】
【０００５】  本発明は、顔面両側の左右顎関節を挟んで均等の圧力をかけつつ左右の顎関節が発する音を同時に聴診できるように、一対の受音具を中空硬質パイプを用いたバネ式把持器に対合するように取り付ける。受音具の取り付け部は、角度が自動的に調整されて顔面部にフィットする役目と受音を伝達する役目をする弾性チューブ構造になっている。弾性チューブはＬ字型硬質中空管に接続され、Ｌ字型硬質中空管は聴診音伝達部のチューブに接続されている。受音伝達の役目をしているＬ型字硬質中空管と聴診音伝達部のチューブの一部はバネ式把持器の硬質中空パイプの中を貫通している。また検診者自身に装着する耳管部にもバネ式把持器を取り付けて器具装着時間の短縮を図っている。
【発明の効果】
【０００６】  集団歯科検診において歯の検診後に、検診者が片手で検診者自身に耳管部を、もう片手で被検診者に聴診音検出部を同時にワンタッチで装着し、口を開閉させた時の顎関節の音を比較的短時間で左右同時に聴診できるようになった。また、聴診器により詳しく検診すことにより今まで見過ごされていた顎関節の初期の異常を早期発見できるようになった。
【図面の簡単な説明】
【０００７】
【図１】  本発明の正面図である。
【図２】  本発明の断面図である。
【発明を実施するための形態】
【０００８】  以下、本発明の実施の形態について、図面を参照しつつ詳細に説明すれば図１において検診用顎関節聴診器は、一対の受音具（聴診音検出部）（１）を硬質中空パイプ（４）を用いたバネ式把持器（５）に対合するように取り付ける。受音具の取り付け部は、角度が自動的に調整されて顔面部にフィットする役目と受音を伝達する役目をする弾性チューブ（２）になっている。弾性チューブ（２）はＬ字型硬質中空管（３）に接続され、Ｌ字型硬質中空管（３）は聴診音伝達部のチューブ（６）に接続されている。受音伝達の役目をしているＬ型字硬質中空管（３）と聴診音伝達部のチューブ（６）の一部はバネ式把持器の把持部である硬質中空パイプ（４）の中を貫通している。また検診者自身が耳管部付きバネ式把持器（７）をワンタッチで装着することによって器具装着時間の短縮を図っている。
【符号の説明】
【０００９】１  受音具（聴診音検出部）
２  弾性チューブ
３  Ｌ字型硬質中空管
４  硬質中空パイプ
５  バネ式把持器
６  聴診音伝達チューブ
７  耳管付きバネ式把持器
【図１】
2013192919.tif 000003
【図２】
2013192919.tif 000004
(57)【要約】【課題】雨天や、花粉症の時期等、室内に洗濯物を干す際で、室内に物干竿がかけられない場合、または室外でも物干竿がないため、ハンガーにかけるような洗濯物が大量に干せない場合があった。本発明は、通常のハンガーとして機能し、且つ、こうした時に有効となるハンガーを提供する。【解決手段】側面に穴が開いているハンガーの内部から、両端を軸に、側面に穴の開いたアームが出てきて、Ｗの字型で固定される。それらの穴にハンガーを差し込み、洗濯物を干すことで、多くの洗濯物を干す事を可能にしたハンガー。【選択図】図２
2013192918.tif 000002
【特許請求の範囲】
【請求項１】
ハンガー本体の、左右の内部に折り曲げ自在なアームを設け、ハンガー本体の側面と、アームの側面に貫通穴を設け、ハンガーをかけられるハンガー。
【発明の詳細な説明】
【技術分野】
【０００１】  本発明は、ハンガーをかける機能を有した高機能ハンガーである。
【背景技術】
【０００２】  従来、ハンガーは室外であれば物干竿、室内であればクローゼットの洋服掛け、物干竿や建具の枠やフック等に引っ掛けることで使用していた。
【先行技術文献】
【特許文献】
【０００３】
【特許文献１】登録実用新案第３１６５２７５号
【発明の概要】
【発明が解決しようとする課題】
【０００４】  雨天や、花粉症の時期等室内に洗濯物を干す際で、室内に物干竿がかけられない場合、または室外でも物干竿がないため洗濯物を大量に干せない場合があった。
本発明は、以上の問題点を解決するためになされたものである。
【課題を解決するための手段】
【０００５】  側面に穴の開いたハンガー内部から両端を軸に側面に穴の開いたアームが出てきて、Ｗの字型で固定。その穴にハンガーを差し込み、洗濯物を干すことを可能にした。
【発明の効果】
【０００６】  従来、一つのハンガーを一つのフックにかけることでしか対応できず、多くの洗濯物を干すことが不可能でしたが、本発明により、多くのハンガーを一つのフックを使用して洗濯物を干すことを可能にし、物干竿が不要となることを可能とした。
本発明は、アームをたたんだ状態でも同様の効果を得られ、またそれ自体が一つのハンガーとして使用することもできるので、洗濯物の量により使用方法を変えて対応することができ、また、収納スペースにも困らないのである。
【図面の簡単な説明】
【０００７】
【図１】本発明の斜視図（アームをたたんだ状態）
【図２】本発明の斜視図（アームを広げた状態）
【図３】本発明のＡ−Ａ’部分拡大図
【発明を実施するための形態】
【０００８】以下、本発明の実施の形態を説明する。
（イ）  ハンガー（１）本体の左右側面にハンガーを引っ掛ける穴（２）を複数設ける。
（ロ）  ハンガー（１）本体の内部に折り曲げ自在のアーム（４）を設ける。
（ハ）  アーム（４）の側面に穴（５）を複数設ける。
（ニ）  ハンガー（１）とハンガー内部のアーム（４）はハンガー（１）の終端の穴（３）によって固定され、終端の穴（３）を軸に回転できる。
（ホ）  アーム（４）は、一定のところ（Ｗの字）まで回転すると、ハンガー（１）の終端の内部に設けられた突起（６）にアーム（４）が引っ掛かり固定される。
本発明は以上のような構造である。
本発明を使用する時は、物干竿や、引っ掛けられるフックのようなものにハンガー（１）を掛ける。以降、以下３通りの使用方法がある。
（イ）  ハンガー（１）に洋服をかけて、通常のハンガーとして使用する。
（ロ）  ハンガー（１）の側面の穴（２）、及び終端の穴（３）にハンガーを引っ掛ける。そのハンガーに洋服をかけて使用する。
（ハ）  ハンガー（１）の内部に収納してあるアーム（４）を取り出し、Ｗの字型にし、それぞれ側面の穴（２）、（３）、（５）にハンガーを引っ掛ける。そのハンガーに洋服をかけて使用する。
【符号の説明】
【０００９】１．ハンガー、２．穴（終端以外）、３．終端の穴、４．アーム、５．アームの穴
６．突起
【図１】
2013192918.tif 000003
【図２】
2013192918.tif 000004
【図３】
2013192918.tif 000005
(57)【要約】【課題】パターのストロークにおいては、グリップ位置が特定されると常に同じリズムでボールを捕らえることが可能となる。一般的にはグリップ部分に線を引くなど目印を付ければ解決できるが、実際に握ると手や指で目印が隠れてしまい正確に把持できない。【解決手段】グリップ表面に突起ポイントが設置されているため、どの突起ポイントを指の腹又は手のひらで押さえてストロークしたときに一番良い結果が得られたかを経験上から知ることにより、視覚に頼ることなく常に同一箇所を把持できる。【選択図】図２
2013192920.tif 000002
【特許請求の範囲】
【請求項１】
パターグリップを把持した時に親指が接するグリップ表面上の部分に、突起ポイントを配置した突起ポイント付きパターグリップ。
【請求項２】
グリップ表面上の突起ポイント数は、１個以上１５個以下を配置した突起ポイント付きパターグリップ。
【請求項３】
グリップ表面上の突起ポイントの配列はグリップのシャフト方向からグリップエンド方向に向けて直線を基準とするが、パターグリップの形状によっては特にこだわらない突起ポイント付きパターグリップ。
【請求項４】
グリップ表面上の突起ポイントの配置は、突起ポイント数をグリップのシャフト方向からグリップエンド方向のグリップ長さに応じて均等配置を基準とするが、親指の腹がグリップ面と多く接するグリップのシャフト側寄り又はグリップ中央部に偏って配置した突起ポイント付きパターグリップ。
【請求項５】
突起ポイントの大きさは各縦・横・高さが２ｍｍから１０ｍｍ以下の範囲内とし、その硬さは手で把持した時に親指の腹又は手のひらでつぶれない硬度を有する突起ポイント付きパターグリップ。
【請求項６】
突起ポイント付きパターグリップは、ゴルフパターのグリップ部品であるため、磨耗等により交換できる突起ポイント付きパターグリップ。
【発明の詳細な説明】
【技術分野】
【０００１】本発明は、ゴルフパターのグリップに関するものである。
【背景技術】
【０００２】パターのグリップ部分には、握りやすい形状や滑り止めのほか、メーカーのロゴマークを施すなど競技者が把持しやすい工夫がなされているが、個々の競技者が自分に一番良いと思うグリップの把持位置を常に把持することができなかった。【０００３】言い替えれば、競技者が自分に一番良いと思うグリップの把持位置を探り当てても、次に握り直した時には必ずしも同一箇所で無いことがあるため、何回握り直しても自分に一番良いと思うグリップの把持位置を把持することができれば競技の向上が図れる。
【発明の概要】
【０００４】この発明は、パターのグリップ部分に把持する基点となる１個以上の突起ポイントを設けることにより、競技者がグリップを把持する場合、常に自分に一番良いと思うグリップの把持位置を把持出来るようにしたもの。
【発明が解決しようとする課題】
【０００５】競技者が練習により自分に一番良いと思うグリップの把持位置を見つけた場合、グリップ表面上に線を引き目印を付ければ視覚的には解決できるが、実際に把持すると手先や指先でその目印が隠れてしまい、目指す自分に一番良いと思うグリップの把持位置を把持することができなかった。
【課題を解決するための手段】
【０００６】発明品には、グリップ表面上に１個以上の突起ポイントを有している。【０００７】個々の競技者は、練習によって得られた自分に一番良いと思うグリップの把持位置の突起ポイントが、把持している親指の腹又は手のひらにどの様に接触しているかを手先の感覚で記憶すれば、何回把持し直しても視覚に頼ることなく、常に自分に一番良いと思うグリップの把持位置を探り当て正確にグリップを把持することができる。
【発明の効果】
【０００９】微妙なタッチを要するパターストロークでは、常に一定のリズムでストロークすることや手先や指先に全神経を集中することが重要である。【００１０】［０００９］で述べた、常に一定のリズムでストロークするには、グリップの把持位置とボールとの間隔が重要である。振り子時計を例にとると、振り子の分銅位置でシャフトの長さを決めることで一定の振幅（リズム）運動をさせているが、パターストロークにおいても、グリップの把持位置が決まれば、パターヘッドから把持位置までの長さが決まる。すなわち、シャフトの長さが決まるので、常に一定のリズムでストロークができる。【００１１】［０００９］で述べた、手先や指先に全神経を集中するには、ストロークする時に突起ポイントを強く押えることにより、突起ポイントからくる触感圧の刺激によって手先や指先に全神経を集中させることが出来る。
【図面の簡単な説明】
【００１１】
【図１】本発明の斜視図  （ａ）突起ポイントが１個の例  （ｂ）突起ポイントが３個の例
【図２】本発明グリップを把持したときの斜視図
【符号の説明】
【００１２】１  突起ポイント
２  グリップ
３  シャフト
４  グリップを把持している手先部分
５  親指の腹部分で押さえられている突起ポイント
【図１】
2013192920.tif 000003
【図２】
2013192920.tif 000004
(57)【要約】【課題】      地球温暖化の主な原因は二酸化炭素が主原因と考えられています。また、専門化のデータも二酸化炭素であることを示しています。また、私が調べたリンゴの木も温暖化を示しています。リンゴの品種に国光、別名（雪の下）と言う品種があります。近年どういうわけか、根を中心に北側に、りんごの実をこころなしか多くつける、傾向にあるのです、これは取りも直さず、木が北へ移動したい、と言っているのです。『子供たちよ、今世は熱いから北へ根を張りなさい』、と。もちろん、人間は聞こえませんが。温暖化は、確実に進行しています。植物が『み』を、おとして教えているのです。    【解決手段】    温泉水を貯水槽に取り込み、その中に圧力を加えながら空気を送り、温泉水と鉄を攪拌しながら混入させる、そして、二酸化炭素を溶解させた温泉水を沈殿槽に誘導し、二酸化炭素を採取固定（二酸化炭素結晶）する方法。【選択図】  図１
2013192978.tif 000002
【特許請求の範囲】
【請求項１】
温泉水を貯水槽に取り込み、その中に圧力を加えながら空気を送り、温泉水と攪拌しながら混入させ、二酸化炭素を溶解させた温泉水を二重ラジエーターを通過させて沈殿槽に誘導し、二酸化炭素を採取固定する方法。
【請求項２】
請求項１の方法で、温泉冷水と鉄を使う二酸化炭素採取固定法。
【請求項３】
請求項１の方法で、空気と温泉水を攪拌しない場合と、送風機内だけの攪拌の場合とがあり、それは温泉冷水と鉄の場合も同じである二酸化炭素採取固定法。
【発明の詳細な説明】
【技術分野】
【０００１】
本発明は温泉に取り込まれている、多種で豊富なミネラルを利用し、その温泉水に空気を混入させることにより、ミネラルと二酸化炭素を結合させる技術。
【背景技術】
【０００２】
海水に二酸化炭素を取り込む技術を参考にした。
【先行技術文献】
【特許文献】
【０００３】
【特許文献１】特開  ２００１−０７９３４２
【特許文献２】特開平  １１−２６２６３３
【発明の開示】
【発明が解決しようとする課題】
【０００４】
二酸化炭素を採取固定して、温暖化を食い止める。
【課題を解決するための手段】
【０００５】
二酸化炭素を結合結晶に出来る、ミネラルが多く含まれている温泉水を活用することによって、二酸化炭素を採る。
【発明の効果】
【０００６】
温暖化防止に、少しでも役立つ。
【発明を実施するための最良の形態】
【０００７】
温泉場に図１のようなシステムを作ること。
【実施例】
【０００８】
実験上ではあるが、実施例は無い。
【産業上の利用可能性】
【０００９】
温泉の出る、ところであれば、どこでも実施可能。
【図面の簡単な説明】
【００１０】
【図１】温泉水を貯水槽に取り込み、その中に空気を混入させ、そして、二酸化炭素を溶解させた温泉水を沈殿槽で採取固定する。
【符号の説明】
【００１１】
イ  圧力弁
ロ  空気出し口
ハ  貯水槽
二  温泉水取り入れ口
ホ  送風機
へ  空気取り入れ口
ト  空気の流れ
チ  攪拌機
リ  温泉水と鉄
ヌ  沈殿槽
ル  排水口
【図１】
2013192978.tif 000003
(57)【要約】      （修正有）【課題】蔓植物をジグザグに這わせて低位置で管理栽培することが可能となりまた遮光と目隠しに有効な密度の濃い緑のカーテンを効果的な高さに設定することができる栽培手段を提供する。【解決手段】左右の支柱３の上下に梁１を渡して固定し、上段の梁１には滑車２を取り付け、この滑車２に蔓植物を誘引する網４を巻いたロールを取り付けるとともに、網４を巻いたロール先端を垂らし、蔓植物の成長と共に網４を巻いたロールを横に倒して支柱３に備え付けられた引っ掛け針６、７、８に引っ掛ける作業を繰り返すことでジグザグに管理栽培することを可能たらしめる構造のジグザグ蔓の手。【選択図】図１
2013192535.tif 000002
【特許請求の範囲】
【請求項１】
左右の支柱に梁固定釘を設けるとともに、上下２本の梁には前記固定釘を受け止める受け穴を設け、上段の梁には滑車を取り付け、この滑車に蔓植物をジグザグ状に誘引する網を巻いたロールを取り付けるとともに、左右の支柱と上下の梁のそれぞれに網をジグザグ状に固定する引っ掛け針を設け、前記滑車に取り付けられた高位置の網を操作する網操作棒を備えたジグザグ蔓の手。
【発明の詳細な説明】
【技術分野】
【０００１】
本発明は、高く伸びる蔓植物を低い位置で管理することによって、目の高さでの緑や花、果実の鑑賞、及び手の届く範囲での人工授粉や摘芯、果実の収穫作業を可能にし、日除けや目隠し効果を高めるジグザグ蔓の手に関するものである。
【背景技術】
【０００２】
従来、蔓植物の管理は地を這わせるか、垂直に立てられた手、屋根状やトンネル状の形態をした手に這い上がらせる方法等で行われてきた。支柱に掛けられるネットは菱形の網のものも見受けられ、素朴な枝付きの竹の手と同様、放射状に脇芽を育てる効果を挙げていた。
【先行技術文献】
【特許文献】
【０００３】
【特許文献１】特開２０１１−１７７１０２号公報
【特許文献２】実用新案登録第３１５０４３７号
【発明の概要】
【発明が解決しようとする課題】
【０００４】
蔓植物は高く伸びてしまうと花や緑、果実を目の高さで鑑賞できなくなったり、人工授粉や摘芯、果実の収穫作業を手の届く範囲でできなくなったり、日除けや目隠し効果の高い脇芽が繁茂した緑の密度の濃い部分が高い位置になったりするので、従来の支柱やネットによる手は蔓植物の管理上、必ずしも十分に効果を上げているとは言い難かった。      
【０００５】
本発明は、以上の問題点を解決するものである。
【課題を解決するための手段】
【０００６】
左右の支柱の上下に梁を渡して固定し、全体として四角い枠をつくり、その上段の梁に蔓植物の手となる網を巻きつけた網巻ロールを取り付けて、その網の先端を垂らして蔓植物の手としたものである。このようなジグザグ蔓の手であれば、蔓植物の成長と共に網を横に倒して支柱に備え付けられた引っ掛け針に引っ掛け、蔓植物の生育をジグザグに管理して占有面積を少なくした状態で栽培管理することができるものである。
【発明の効果】
【０００７】
本発明は、蔓植物をジグザグに這わせて低位置で管理栽培することを目的としているので人工授粉や摘芯、果実の収穫などの作業が手の届く範囲でできる、日常生活における視界内で緑や花、果実の鑑賞ができる、主幹が横に寝かされることで脇芽が繁茂し遮光と目隠しに有効な密度の濃い緑のカーテンを効果的な高さに設定することができるなどの効果が期待できる。
【図面の簡単な説明】
【０００８】
【図１】本発明の使用状態を示す斜視図
【図２】本発明の要部拡大図
【図３】同じく本発明の要部拡大図
【図４】同じく本発明の要部拡大図
【図５】同じく本発明の要部拡大図
【発明を実施するための形態】
【０００９】
以下、本発明の実施の形態をゴーヤの栽培を例に詳しく説明する。
【００１０】
２階ベランダまでの高さを想定した長さ３ｍ程度の左右２本の支柱（３）には、上部先端に建物損傷防止用のゴム（１１）を設け、下部先端は鋭利に尖らせ、上部と下部には梁固定釘（１２）を、中間部には３０ｃｍ間隔で網（４）を引っ掛ける引っ掛け針（６、７、８、………）を設ける。長さ２ｍ程度の上下２枚の梁（１）の左右には梁固定釘受け穴（１３）を、下部の梁（１）の中央には幅３０ｃｍ、長さ２５メートル程度に及ぶ網（４）を最初に引っ掛ける引っ掛け針Ａ（５）を、上部の梁（１）の中央には網（４）が垂れてこないように固定する引っ掛け針Ｅ（１０）を設ける。引っ掛け針Ｅ（１０）に網（４）を掛けたり外したりする網操作棒（９）は先端をＳ字形に曲げる。滑車（２）はボルト受け穴（１５）を備えた腕（１４）及び、網止め針（１７）、ボルト（１８）、ナット（１９）を備えた網巻ロール（１６）から成る。
【００１１】
本発明は、以上のような構造である。
【００１２】
本発明を使用するときは、ゴーヤの手となる網（４）を網巻きロール（１６）に設けられた網止め針（１７）に止めてから網巻きロール（１６）に巻きつける。次に腕（１４）の両端を少し開いてボルト受け穴（１５）をボルト（１８）にはめてナット（１９）で止め、滑車（２）を組み立てる。滑車（２）を上段の梁（１）に通してから、左右の支柱（３）の梁固定釘（１２）を梁（１）の梁固定釘受け穴（１３）に通して上下段の梁（１）を支柱（３）に固定する。支柱（３）を地面に突き刺して滑車（２）の網（４）を網操作棒（９）で引きずり下ろし、下段の梁（１）に取り付けられた引っ掛け針Ａ（５）に引っ掛ける。ゴーヤが網（４）に巻きついてある程度伸びたら支柱（３）に取り付けられた引っ掛け針Ｂ（６）、更にその上の引っ掛け針Ｃ（７）に網（４）を引っ掛ける。そして網（４）が弛まないようにその上部を網操作棒（９）で上段の梁（１）に取り付けられた引っ掛け針Ｅ（１０）に引っ掛けて固定する。ゴーヤが更に伸びたら網操作棒（９）で網（４）を引っ掛け針Ｅ（１０）から外し、梁（１）の長さ分引きずりおろして横に倒し、引っ掛け針Ｄ（８）に引っ掛け、網操作棒（９）で網（４）の上部を上段の梁（１）の引っ掛け針Ｅ（１０）に再度引っ掛けて固定する。この操作を繰り返すことでゴーヤを２ｍ幅でジグザグに這わせながら低い位置で管理栽培することができ、併せて上に伸びようとするゴーヤの性質上、脇芽の繁茂が旺盛になり密度の濃い緑のカーテンの実現が可能となる。本発明を建物の壁などに立て掛けて使用する時はゴム（１１）が建物を損傷から守る上で有効となる。
【符号の説明】
【００１３】
１梁
２滑車
３支柱
４網
５引っ掛け針Ａ
６引っ掛け針Ｂ
７引っ掛け針Ｃ
８引っ掛け針Ｄ
９網操作棒
１０引っ掛け針Ｅ
１１ゴム
１２梁固定釘
１３梁固定釘受け穴
１４腕
１５ボルト受け穴
１６網巻ロール
１７網止め針
１８ボルト
１９ナット
【図１】
2013192535.tif 000003
【図２】
2013192535.tif 000004
【図３】
2013192535.tif 000005
【図４】
2013192535.tif 000006
【図５】
2013192535.tif 000007
(57)【要約】【課題】  漬けものを漬けるとき、始めは重しのおさまりが悪く、たくさんのせたくてものせられないことがあった。  また、ねじで上から圧力をかけるタイプは見た目が悪く、見える場所には置きたくないと思っていた。  本発明は、重しが落ちず、見た目もポップで楽しい漬けもの容器を提供する。【解決手段】  下の容器に中蓋が入る形にし、その中蓋に重しを入れるという発明であり、その条件さえそろえば、様々な形・色が可能になり、例えばハート型でも良く、重しも、重さを考慮しながら、ハート型・茄子型・胡瓜型等の形でも楽しくなることを特徴とした漬けもの容器。【選択図】図２
2013192556.tif 000002
【特許請求の範囲】
【請求項１】
下の容器と、それと同型で異なるサイズの、上部に取っ手、底に穴を設けた中蓋をつくり、その中蓋の中に重しを入れて使用する漬けもの容器。
【発明の詳細な説明】
【技術分野】
【０００１】  本発明は、手軽に楽しく漬けるための漬もの容器に関するものである。
【背景技術】
【０００２】  従来、簡単に扱える漬けもの容器は、重しをのせて漬ける容器と、ねじ式に上から押して漬ける容器があった。
【先行技術文献】
【特許文献】
【０００３】
【特許文献１】  特開平５−５６７４７号公報
【特許文献２】  特開２００６−３４１６３号公報
【発明の概要】
【発明が解決しようとする課題】
【０００４】  漬けもの容器に漬けもの素材を入れたとき、始めはいっぱいになりがちでその上に重しをのせるので不安定になり、且つもう一つのせようとすれば落ちることもあった。
また、ねじ式は見た目が悪いと思っていた。
本発明は、以上のような欠点を解決するためになされたものである。
【課題を解決するための手段】
【０００５】  下の容器と、同じ形で取っ手をつけた異なるサイズの中蓋をつくり、下の容器にすっぽりおさまる形にする。
中蓋の底に小さな穴を設け、重しは側面のあるその中蓋に入れる。
本発明は、以上の構成よりなる漬けもの容器。
【発明の効果】
【０００６】  従来、漬けもの容器は重しをたくさんのせることができず、インテリア的にも難があった。
本発明は、下の容器と中蓋は同じ形なので自由な形と色が考えられ、中蓋に側面があることで重しは落ちることなく中におさまり、中蓋の底の穴は、漬けものの水があがった時に中蓋に入るようになり、まわりにこぼれることがなくなる。
重しも、入るものならば、大・小・数・色・形が自由で、インテリア的にも、ポップで気分が上がる楽しい漬けもの容器になる。
【図面の簡単な説明】
【０００７】
【図１】  本発明の断面図である。
【図２】  本発明の使用状態を示した断面図である。
【図３】  本発明の重しを入れていない状態の斜視図である。
【発明を実施するための形態】
【０００８】  以下、本発明の実施の形態を説明する。
（イ）下の容器（１）をつくる。
（ロ）下の容器（１）と同形で、それより小さい異なるサイズの中蓋（２）をつくる。
（ハ）中蓋（２）の上部に取っ手（３）を設け、中蓋（２）の底に小さな穴（４）を設ける。
（ニ）重し（５）をつくる。
（ホ）穴（４）の蓋になる重し（６）をつくる。
本発明は、以上のような構造である。
本発明を使用するときは、下の容器（１）に漬けもの素材（７）を入れ、その上に中蓋（２）を上から入れて、その中蓋（２）の中に重し（５）と（６）を入れる。
中蓋（２）には側面があるので重しは落ちず、また底に小さな穴（４）を設けているので、漬けものから出た水が外にこぼれず、取っ手（３）を設けたことで持ちやすい。
漬けものを取り出すときは、重し（５）を先に取り出し、穴の蓋用の重し（６）を中蓋の底の穴（４）に置いて水が流れ落ちるのを防ぎ、中蓋（２）を持ち上げる。
【符号の説明】
【０００９】  １  下の容器
２  中蓋
３  取っ手
４  中蓋の底の穴
５  重し
６  穴の蓋用の重し
７  漬けもの素材
【図１】
2013192556.tif 000003
【図２】
2013192556.tif 000004
【図３】
2013192556.tif 000005
(57)【要約】【課題】粘る納豆は必ずしも食べる味わいを豊かにはしない。たれを多く使い、水浸しの納豆ではいささか食欲がそがれることもある。これら糸を引き食べにくい納豆の、糸切れをよくし、より食べやすくする。【解決手段】納豆や調味料などに油脂を混入する。たれを水分過剰の状態にして食することなく、サラダ油や、クリームなど油脂成分を添加することで糸切れは大幅に改善される。納豆をパンなどのブレッドペーストに使用することもできる。【選択図】なし【特許請求の範囲】
【請求項１】
納豆そのもの、あるいは調味料などに油脂を添加する。
【発明の詳細な説明】
【技術分野】
【０００１】
食品としての納豆に関するものである。
【先行技術文献】
【特許文献】
【０００２】
【特許文献１】特許公開２００５−９５１３６
【特許文献２】特許公開２００５−３１２３０９
【発明の概要】
【発明が解決しようとする課題】
【０００３】
納豆の粘る糸はひとつの魅力でもあるが、食べにくいと感じるものでもある。この粘る糸を切断し食べやすくする。
【課題を解決するための手段】
【０００４】
調味料として使用するたれなどに、サラダ油など油脂を適量、添加する。
【発明の効果】
【０００５】
粘りを作り出す分子に油の幕を張り、分子間の結合の邪魔をすることで、粘りの糸を切り、軽快に食べられる。
【発明を実施するための形態】
【０００６】
調味料に油脂を添加するか、納豆に直接散布する。
(57)【要約】【課題】停電時に、自動車で発電した電気を家庭用電気として利用できる送電装置を提供する。【解決手段】自動車の発電機が発電した電気を家庭用電気として利用するため、バッテリ−接続端子、コ−ド、電工ドラムおよびアダプタからなることを特徴とする。【選択図】図１
2013188110.tif 000002
【特許請求の範囲】
【請求項１】
停電時に自動車の発電機が発電した電気を家庭用電気として利用することを特徴とし、バッテリ−接続端子、コ−ド、電工ドラムおよびアダプタからなる自動車送電装置
【発明の詳細な説明】
【技術分野】
【０００１】  本発明は、停電時に自動車により発電した電気を家庭用電気とする送電装置の提供に関するものである。
【背景技術】
【０００２】  従来は、自動車から取り出す電源は、シガ−ライタ−から取り出すため、小電力用の電気器具の電源に限定されていた。
【先行技術文献】
【非特許文献】
【０００３】
【非特許文献１】  特開２００６−３２０１８６
【発明の概要】
【発明が解決しようとする課題】
【０００４】  停電時の家庭用電源として考えられるのは、太陽光・風力等の自然を利用した発電または発電機を利用した発電が考えられる。
しかしながら、太陽光・風力等の自然を利用したものは、多額の設備投資が必要である。また、発電機を利用する場合は、少なからずの購入費用および発電機用燃料の保管に関する問題があった。
本発明は、以上のような問題を克服し、停電時に自動車で発電した電気を家庭で利用できるようにしたものである。
【課題を解決するための手段】
【０００５】  本発明は、停電時に自動車の発電機が発電した電気を家庭用電気として利用することを特徴とし、バッテリ−接続端子、コ−ド、電工ドラムおよびアダプタからなる自動車送電装置である。
【発明の効果】
【０００６】  本発明は、停電時においても必要最小限の生活を確保するため、多額の設備投資または燃料保管の問題を排除し、家庭で所有する自動車を活用して、誰でも簡単に自動車で発電した電気を家庭用電気として利用できるようにしたものである。
【図面の簡単な説明】
【０００７】
【図１】  本発明の全体図である。
【発明を実施するための形態】
【０００８】  以下、本発明の実施例を図１に従って説明する。
【実施例】
【０００９】  本発明は、バッテリ−接続端子（１）、コ−ド（２）、電工ドラム（３）およびアダプタ（４）から構成される。【００１０】  本発明は、自動車のバッテリ−にバッテリ−接続端子（１）を接続することにより、機能を発揮する。【００１１】  自動車では直流電気が使用されるが、家庭用は交流電気が使用されている。そのため、自動車の電気を家庭用として使用するには、直流電気（１２Ｖまたは２４Ｖ）を交流電気（１００Ｖ）に変換するアダプタが必要となる。
【符号の説明】
【００１２】      １      バッテリ−接続端子
２      コ−ド
３      電工ドラム
４      アダプタ
【図１】
2013188110.tif 000003
(57)【要約】【課題】携帯電気機器例えば携帯電話電気回路の電池の代りの発電装置を得ることである。【解決手段】手動摘子を回動することによりぜんまいを巻きあげて、この出力トルクにより直流発電機のマグネット回転子を駆動回転せしめる装置と、マグネット回転子の回転により固定電機子の電機子コイルに発生する発電出力を直流出力に転化する装置と、該直流出力を携帯電気機器の電気回路の電源として利用する装置とにより構成されたものである。【選択図】図２
2013188116.tif 000002
【特許請求の範囲】
【請求項１】
外筺側面に支軸により回動自在に支持された円筒形の手動摘子と、該手動摘子を手動により回転することにより、内部に収納されたぜんまいを巻き上げて保持する装置と、該ぜんまいの駆動力を増速して外筺内部に収納された偏平なマグネット回転子を回転せしめる増速歯車と、該マグネット回転子の内周面に着磁された円環状の多数のＮ，Ｓ磁極と、該Ｎ，Ｓ磁極に複数個の電機子コイルが空隙を介して対向する固定電機子と、該電機子コイルの発電出力を整流して直流出力を得る整流回路とにより構成されたことを特徴とする小型偏平発電機。
【発明の詳細な説明】
【技術分野】
【０００１】ポケットベルのような小型携帯電気装置の電源として利用される。
【背景技術】
【０００２】マグネット回転子による発電機は周知であるが、手動力により発電する小型の機器で実用化されたものはない。
【発明の概要】
【発明が解決しようとする課題】
【０００３】手動トルクによりぜんまいに駆動エネルギーを蓄積し、これにより発電機を駆動して所要時間だけ発電し、この発電エネルギーにより所要時間だけポケットベルを動作せしめることにより、電池を収納しない場合又は収納した電池が消耗したときにも通話できる手段を提供することである。
【課題を解決するための手段】
【０００４】外筺側面に支軸により回動自在に支持された円筒形の手動摘子と、該手動摘子を手動により回転することにより、内部に収納されたぜんまいを巻き上げて保持する装置と、該ぜんまいの駆動力を増速して外筺内部に収納された偏平なマグネット回転子を回転せしめる増速歯車と、該マグネット回転子の内周面に着磁された円環状の多数のＮ，Ｓ磁極と、該Ｎ，Ｓ磁極に複数個の電機子コイルが空隙を介して対向する固定電機子と、該電機子コイルの発電出力を整流して直流出力を得る整流回路とにより構成されたものである。
【発明の効果】
【０００５】携帯電話に利用すると、電池の消耗により対話ができなくなる不都合を防止できる。小型偏平に構成できるので、上述した効果が要求される他の電機器具の電源として利用できる。
【図面の簡単な説明】
【０００６】
【図１】本発明装置の外観図
【図２】本発明装置の断面図
【図３】手動摘子の動作の説明図
【図４】固定電機子とマグネット回転子の平面図
【図５】固定電機子とマグネット回転子の展開図
【図６】全体の構成のブロック回路図
【発明を実施するための形態】
【０００７】図１以降について本発明の詳細を説明する。各図面の同一記号のものは同一部材なので重複した説明は省略する。図１は外観を示す図である。図２は断面図である。図１，図２において、外筺１の側面には円筒形の手動摘子２が回転軸３を介してそのまわりを自由に回転できるように支持されている。回転軸３は図示しない軸受により外筺１に回動自在に支持され、その右端には歯車６を固定する。
【０００８】点線４で示すものは渦巻状のぜんまいで、中央端部は回転軸３に固定され、外周端部は手動摘子２の外周内側に固着する。手動摘子２の外周には、図３に示すようにラチエット歯車２ａが設けられ、レバー１１の左端が噛合し、その右端は本体に設けた支軸１１ａにより回動自在に支持され、図示しないスプリングにより矢印Ｂ方向に弾撥されている。従って円筒２を手動で矢印Ａ方向に回転すると、図２のぜんまい４は巻き上げられ、回転軸３を介して歯車６を駆動する。
【０００９】図２の歯車６，これと噛合する小歯車７ａ，大歯車７，これと噛合する小歯車８ａ，回転子８を増速して回転する。回転子８の外周内側には円環状のマグネット回転子９が固定され、この磁極に空隙を介して磁極が対向する固定電機子１０が側板１ａ（外筺１に外周が固定されている。）に固着されている。
【００１０】図４は平面図で、マグネット回転子９の内側には磁極９ａ，９ｂ，．．．が等しいピッチで配設された固定電機子１０が設けられ、各磁極には電機子コイル１２ａ，１２ｂ，．．．が装着されている。図２の手動摘子２を回転すると、前述したようにぜんまい４を介してマグネット回転子９が増速駆動されるので、電機子コイル１２ａ，１２ｂ，．．．に発電力が発生する。この発電出力はポケットベルに利用する場合には５ボルト１００ミリアンペア位が所要出力となる。
【００１１】図５はマグネット回転子９と電機子コイル１２ａ，１２ｂ，．．．の展開図で、磁極数が多いのでその１部のみが示されている。端子１３ａ，１３ｂより発電出力を得ることができる。上述した手段は単相の発電機を実施例として示したものであるが、２相，３相のものでも実施できる。磁極９ａ，９ｂ，．．．の巾は、マグネット回転子９のＮ，Ｓ磁極巾と等しくすることが最も効果のある手段である。本実施例は珪素鋼板を積層したコアを利用しているが、扇型の電機子コイルを利用する周知のコアレスの発電機としても実施できる。
【００１２】図６において、前述した発電機１４の出力は、ダイオードを含む整流回路１５により直流出力に変換され、その出力は携帯電話の電気回路の電源とされる。電源としてバッテリを使用する手段は、バッテリがあがって使用不可能となる不都合があるが、本発明の手段によるとこの欠点が除去される作用がある。当然であるがバッテリと併用すると、バッテリの充電を自動的に行なうことができる。
【実施例】
【００１３】［図２］の図面を実際の大きさとして試作すると、出力電圧が５ボルト８０ミリアンペアを得ることができ、ぜんまいを巻き上げると、３０秒位の所要の出力が継続して得られる。
【符号の説明】
【００１４】１，１ａ  外筺
２  手動摘子
３  回転軸
４  ぜんまい
６，７，７ａ，８ａ  歯車
８，９  マグネット回転子
１０  固定電機子
１１，１１ａ  レバーとその支軸
９ａ，９ｂ，．．．磁極
１２ａ，１２ｂ，．．．電機子コイル
１４  発電機
１５  整流回路
１６  携帯電話の電気回路
【図１】
2013188116.tif 000003
【図２】
2013188116.tif 000004
【図３】
2013188116.tif 000005
【図４】
2013188116.tif 000006
【図５】
2013188116.tif 000007
【図６】
2013188116.tif 000008